(57)【特許請求の範囲】
【請求項１】
画像形成装置本体と、
前記画像形成装置本体内に設けられ、記録媒体に像を形成する像形成部と、
当該画像形成装置の操作に用いられる操操作パネルと、
前記画像形成装置本体の底面に設けられ、前記画像形成装置本体が載置されている載置面と接触して前記画像形成装置本体を支持する支持部と、
前記画像形成装置本体に対して開閉することができるように、ヒンジを用いて前記画像形成装置本体に装着されている原稿読取装置と、
前記底面に設けられた第１の凸部と、
前後方向について前記第１の凸部に対して前記操操作パネルの前後方向における中心と逆側に配置されていて、前記底面に設けられた第２の凸部と、
を有し、
前記底面は、
前後方向における前記操作パネル側の縁部が、前記操作パネルの前後方向における中心よりも、前後方向において前記画像形成装置本体の中央側に位置し、
前後方向における前記操作パネル側と反対側の縁部が、前記ヒンジよりも前後方向において前記画像形成装置本体の中心側に位置し、
前記第１の凸部は、
前後方向について前記支持部よりも前記操作パネル側に配置され、当該画像形成装置が傾かないように前記載置面と間に隙間を形成していて、
当該画像形成装置が傾いた際に前記載置面に接触するように形成されていて、
前記第２の凸部は、
前後方向について前記支持部よりも前記ヒンジ側に配置され、当該画像形成装置が傾かないように前記載置面との間に隙間を形成していて、
当該画像形成装置が傾いた際に前記載置面に接触するように形成されている
画像形成装置。
【請求項２】
前記第１の凸部及び前記第２の凸部は、全部分が前記底面の重力方向における下側に配置された状態となるように前記底面に固定されている請求項１記載の画像形成装置。
【請求項３】
前記支持部を複数有し、
前記第１の凸部を複数有し、
前記第２の凸部を複数有し、
複数の前記第１の凸部及び複数の前記第２の凸部は、複数の前記支持部と離間するように、前後方向及び左右方向において前記底面における複数の前記支持部よりも外側に位置するように配置されている請求項１又は２記載の画像形成装置。
【請求項４】
前記支持部を複数有し、
前記第１の凸部を複数有し、
前記第２の凸部を複数有し、
複数の前記第１の凸部及び複数の前記第２の凸部は、複数の前記支持部で囲まれる領域よりも外側に配置されている請求項１又は２記載の画像形成装置。
【請求項５】
前記原稿読取装置は、原稿読取装置本体を有し、画像が形成された記録媒体が排出される排出部との間に空間を形成するように、前記画像形成装置本体の上方に配置されている請求項１乃至４いずれか記載の画像形成装置。
【請求項６】
画像形成装置本体と、
前記画像形成装置本体内に設けられ、記録媒体に像を形成する像形成部と、
当該画像形成装置の操作に用いられる操作パネルと、
前記画像形成装置本体に対して開閉することができるように、ヒンジを用いて前記画像形成装置に装着されている開閉部であって、一部分が前記画像形成装置本体からはみ出すように収納されている記録媒体の前記一部分を、前記画像形成装置本体に対して開いた状態において重力方向における下側から支持する前記開閉部と、
前記画像形成装置本体の底面に設けられ、前記画像形成装置本体が載置されている載置面と接触して前記画像形成装置本体を支持する支持部と、
前記底面に設けられた凸部と、
を有し、
前記底面は、前後方向における前記操作パネル側の縁部が、前記操作パネルの前後方向における中心よりも、前後方向において前記画像形成装置本体の中央側に位置し、
前記凸部は、
前後方向について前記支持部よりも前記操作パネル側に配置され、
前後方向について前記支持部よりも前記ヒンジ側に配置され、
当該画像形成装置が傾かないように前記載置面と間に隙間を形成していて、
当該画像形成装置が傾いた際に前記載置面に接触するように形成されている
画像形成装置。
【請求項７】
前記凸部は、全部分が前記底面の重力方向における下側に配置された状態となるように前記底面に固定されている請求項６記載の画像形成装置。
【発明の詳細な説明】
【技術分野】
【０００１】
本発明は、画像形成装置に関する。
【背景技術】
【０００２】
特許文献１には、機器本体と該機器本体の下側に配置され、前記機器本体が載置されるオプションユニットとを有する機器において、前記機器本体の転倒を防止する転倒防止装置であって、前記オプションユニットは、オプションユニット機構と、該オプションユニット機構が配置され所定の方向に延びるユニット筐体とを備え、前記ユニット筐体には、前記所定の方向に延び、前記オプションユニット機構が位置づけられる基準面部と、前記基準面部と平行に延び、前記基準面部よりも上側に位置するともに、前記基準面部よりも前記所定の方向後側に位置して、前記オプションユニット機構が固定される固定面部と、該固定面部と前記基準面部とを連結して、前記所定方向に延びる側面部とが規定されており、前記基準面部の外側面には、該外側面から突出して前記オプションユニットを支持する支持脚部が形成され、さらに、前記固定面部の後端側で、前記支持脚部と同一方向に突出する少なくとも一つの突起体が形成され、前記機器本体が前記所定の方向後側に傾いた際、前記突起体で前記オプションユニットを支持するようにしたことを特徴とする機器の転倒防止構造が開示されている。
【先行技術文献】
【特許文献】
【０００３】
【特許文献１】特開２００４−２７２０８１号公報
【発明の概要】
【発明が解決しようとする課題】
【０００４】
本発明は、凸部を形成することにより画像形成装置が載置される載置面が広くなることを防止しつつ、転倒しにくくすることができる画像形成装置を提供することを目的とする。
【課題を解決するための手段】
【０００５】
請求項１に係る本発明は、画像形成装置本体と、前記画像形成装置本体内に設けられ、記録媒体に像を形成する像形成部と、当該画像形成装置の操作に用いられる操作部と、前記画像形成装置本体の底面に設けられ、前記画像形成装置本体が載置されている載置面と接触して前記画像形成装置本体を支持する支持部と、前記底面に設けられた凸部と、
を有し、前記凸部は、前後方向について前記支持部よりも前記操作部側に配置され、当該画像形成装置が傾かないように前記載置面と間に隙間を形成していて、当該画像形成装置が傾いた際に前記載置面に接触するように形成されていて、全部分が前記底面の重力方向における下側に配置された状態となるように前記底面に固定されている画像形成装置である。
【０００６】
請求項２に係る本発明は、前記支持部を複数有し、前記凸部を複数有し、複数の前記凸部は、複数の前記支持部と離間するように、前後方向及び左右方向において前記底面における複数の前記支持部よりも外側に位置するように配置されている請求項１記載の画像形成装置である。
【０００７】
請求項３に係る本発明は、前記支持部を複数有し、前記凸部を複数有し、複数の前記凸部は、複数の前記支持部で囲まれる領域よりも外側に配置されている請求項１記載の画像形成装置である。
【０００８】
請求項４に係る本発明は、前記操作部は、少なくとも一部が前記底面の前後方向における前記操作部側の縁部よりも前側に位置し、前記画像形成装置本体は、前記底面の前記縁部よりも前側に突出している部分を有する請求項１乃至３いずれか記載の画像形成装置である。
【０００９】
請求項５に係る本発明は、原稿を読み取る原稿読取装置をさらに有し、前記原稿読取装置は、原稿読取装置本体を有し、画像が形成された記録媒体が排出される排出部との間に空間を形成するように、前記画像形成装置本体の上方に配置されており、前記原稿読取装置本体の少なくとも一部が前記底面の前後方向における前記操作部側の反対側の縁部よりも後側に位置している請求項１乃至４いずれか記載の画像形成装置である。
【発明の効果】
【００１０】
本発明によれば、凸部を形成することにより画像形成装置が載置される載置面が広くなることを防止しつつ、転倒しにくい画像形成装置を提供することができる。
【図面の簡単な説明】
【００１１】
【図１】本発明の実施形態に係る画像形成装置を示す斜視図である。
【図２】図１に示す画像形成装置を右側面から示す断面図である。
【図３】図１に示す画像形成装置を右側面側から一部を破断して示す図である。
【図４】図１に示す画像形成装置の補給用開閉部が閉じられ、給紙用開閉部が開かれた状態を示す斜視図である。
【図５】図１に示す画像形成装置の補給用開閉部及び給紙用開閉部が一体として開かれた状態を示す斜視図である。
【図６】図１に示す画像形成装置が有する画像形成装置本体を右側面から示す図である。
【図７】図１に示す画像形成装置が有する原稿読取装置を示し、図２におけるＡ―Ａ面の断面を示す断面図である。
【図８】図６に示す画像形成装置本体の底面図である。
【図９】図６に示す画像形成装置本体の凸部近傍を拡大して示す図である。
【発明を実施するための形態】
【００１２】
次に、本発明を実施するための形態を図面を参照して説明する。
図１乃至図３には、本発明の実施形態に係る画像形成装置１０が示されている。画像形成装置１０は、画像形成装置本体３０を有し、画像形成装置本体３０内に、記録媒体として用いられる用紙に画像を形成する像形成部１２０と、像形成部１２０に用紙を供給する給紙装置１６０とが設けられ、画像形成装置本体３０内に搬送路１８０が形成されている。また、画像形成装置１０は、原稿を読み取る原稿読取装置３００と、画像が形成された用紙が排出される排出部４００と、緩衝装置５００と、画像形成装置１０の操作のための操作部として用いられ操作パネル７００と、例えばパーソナルコンピュータ等の外部の装置から画像データが入力されるデータ入力端子２０を有する。
【００１３】
画像形成装置１０は、原稿読取装置３００で読み取った画像データに基づいて用紙に画像を形成し、データ入力端子２０から入力された画像データに基づいて用紙に画像を形成する。また、画像形成装置１０は、例えば電話回線に接続可能であり、例えば電話回線を介して入力された画像データに基づいて用紙に画像を形成する。また、画像形成装置１０は、原稿読取装置３００で読み取った画像データを例えば電話回線を介して送信し、データ入力端子２０から入力されたデータを例えば電話回線を介して送信する。
【００１４】
画像形成装置本体３０には、前側（図２における左側）の面に、操作パネル７００の側に開閉する開閉部として用いられる補給用開閉部８０が装着されている。補給用開閉部８０は、ヒンジ８６を用いて画像形成装置本体３０に対して開閉するように装着されている。また、補給用開閉部８０には、前側に向けて開口８２が形成されている。また、画像形成装置本体３０には、操作パネル７００の側に開閉する開閉部として用いられる給紙用開閉部８４が装着されている。給紙用開閉部８４は、補給用開閉部８０と同様にヒンジ８６を用いて画像形成装置本体３０に対して装着されていて、補給用開閉部８０の開口８２を開閉し、開口８２を開閉することで画像形成装置本体３０の前側を開閉する。
【００１５】
補給用開閉部８０と給紙用開閉部８４とは、図１に示すように補給用開閉部８０と給紙用開閉部８４との両方を画像形成装置本体３０に対して閉じた状態とすることができる。また、補給用開閉部８０と給紙用開閉部８４とは、図２に示すように、補給用開閉部８０を画像形成装置本体３０に対して閉じた状態とし、給紙用開閉部８４を画像形成装置本体３０に対して開いた状態とすることができる（図４も参照）。また、補給用開閉部８０と給紙用開閉部８４とは、一体として画像形成装置本体３０に対して開いた状態とすることができる（図５参照）。
【００１６】
補給用開閉部８０及び給紙用開閉部８４の回転中心８８は、図２に示すように操作パネル７００の中心Ｃ１よりも画像形成装置本体３０の中央Ｃ２側に位置している。このため、回転中心８８が操作パネル７００の中心Ｃ１よりも画像形成装置本体３０の中央Ｃ２側と逆側に位置している場合や、回転中心８８が操作パネル７００の中心Ｃ１と上下方向において重なるように位置している場合と比較して、給紙用開閉部８４を開いた状態と、補給用開閉部８０及び給紙用開閉部８４とを開いた状態における画像形成装置１０の設置面積が小さくなる。
【００１７】
また、画像形成装置本体３０の底面３８の操作パネル７００側の縁部３９は、操作パネル７００の中心Ｃ１よりも画像形成装置本体３０の中央Ｃ２側に位置している。このため、縁部３９が操作パネル７００の中心Ｃ１よりも画像形成装置本体３０の中央Ｃ２側と逆側に位置している場合や、縁部３９が操作パネル７００の中心Ｃ１と上下方向において重なるように位置している場合と比較して、補給用開閉部８０及び給紙用開閉部８４とを閉じた状態における画像形成装置１０の設置面積が小さくなる。
【００１８】
また、画像形成装置本体３０は、上向きの面３４の載置面８００に投影した面積よりも、底面３８の載置面８００に投影した面積が小さい。このため、上向きの面３４の載置面８００に投影した面積よりも底面３８を載置面８００に投影した面積が大きい場合や、上向きの面３４の載置面８００に投影した面積と底面３８を載置面８００に投影した面積とが等しい場合と比較して、画像形成装置１０の設置面積が小さくなる。
【００１９】
データ入力端子２０は、例えば画像形成装置本体３０の例えば前側の面に配置されている。
【００２０】
像形成部１２０は、像保持体として用いられる感光体ドラム１２２と、感光体ドラム１２２の表面を帯電する帯電装置１２４と、帯電装置１２４によって帯電された感光体ドラム１２２の表面に光を照射することで感光体ドラム１２２の表面に潜像を形成する潜像形成装置１２６と、潜像形成装置１２６によって感光体ドラム１２２の表面に形成された潜像を現像剤を用いて現像する現像装置１２８と、現像装置１２８による現像で感光体ドラム１２２の表面に形成された現像剤像を用紙に転写する転写装置１３０と、転写装置１３０による転写の後に感光体ドラム１２２の表面に残留する現像剤を清掃する清掃装置１３２と、転写装置１３０によって用紙に転写された現像剤像を用紙に定着する定着装置１４０とを有する。現像装置１２８には、後述する現像剤収容容器１４４（図５参照）に収容された現像剤が図示を省略する現像剤搬送装置を用いて補給される。
【００２１】
給紙装置１６０は、用紙を積層した状態で収納する、例えば１つの用紙収納部１６２と、用紙収納部１６２に収納された用紙を送り出す送出ロール１６４とを有する。一定以上の大きさの用紙を用紙収納部１６２に収納するには、給紙用開閉部８４が開いた状態とされ、このような用紙が収納されると用紙の後端部側が画像形成装置本体３０からはみ出し、用紙のはみ出した部分が給紙用開閉部８４に重力方向下側から支持された状態となる。
【００２２】
搬送路１８０は、給紙装置１６０から転写装置１３０に向けて用紙を搬送し、さらに排出部４００へと用紙を搬送するために用いられる搬送路である。搬送路１８０に沿って、用紙の搬送方向における上流側から順に、先述の送出ロール１６４、搬送ロール１８２、レジストロール１８４、先述の転写装置１３０、先述の定着装置１４０、及び排出ロール１８６が設けられている。
【００２３】
搬送ロール１８２は、用紙をレジストロール１８４に向けて搬送する。レジストロール１８４は、転写装置１３０に向けて搬送される用紙の先端部の転写装置１３０側に向けての移動を一時的に停止させ、感光体ドラム１２２に形成された現像剤像が転写装置１３０の位置に到達するタイミングに合致するように、用紙の先端部の転写装置１３０に向けての移動を再開させる。排出ロール１８６は、定着装置１４０で現像剤像が定着された用紙を排出部４００に向けて搬送する。
【００２４】
原稿読取装置３００は、原稿読取装置本体３０２を有し、排出部４００との間に空間Ｓを形成するように、画像形成装置本体３０の上方に配置されている。また、原稿読取装置３００は、後端部（図２における右側の端部）側がヒンジ３０４を用いて画像形成装置本体３０に対して開閉することができるように装着されている。このため、原稿読取装置３００は、図１及び図２に示す第１の位置と、図３に示す第２の位置との間で移動することができるようになっている。ここで、第１の位置とは、原稿読取装置３００が画像形成装置本体３０の上向きの面３４に下方から支持される位置である。また。第２の位置とは、原稿読取装置３００が第１の位置に配置されている場合と比較して、空間Ｓが拡張される位置である。
【００２５】
排出部４００は、画像形成装置本体３０の上向きの面３４に設けられていて、用紙が排出される方向である前方向に、面３４から延長することができる延長部４１０を有する。延長部４１０は、面３４から用紙の排出方向に延長することができる第１の延長部材４１４と、第１の延長部材からさらに前方向に延長することができる第２の延長部材４２０とを有する。延長部４１０は、画像が形成された用紙の面３４からはみ出した部分を重力方向下側から支持する。
【００２６】
緩衝装置５００は、原稿読取装置３００のヒンジ３０４を中心とする回転動作による衝撃を緩衝するために用いられていて、画像形成装置１０の右側（図３における手前側）と画像形成装置１０の左側（図３における奥側）とに、それぞれ１つが配置されている。これら２つの緩衝装置５００のうちの右側に配置された緩衝装置５００が図２に示され、左側に配置された緩衝装置５００は図示が省略されている。右側に配置された緩衝装置５００と左側に配置された緩衝装置５００との構成は同じである。
【００２７】
緩衝装置５００は、アーム部材５０２と、案内部材５１０と、コイルスプリング５６０とを有する。アーム部材５０２は、一端５０４側が案内部材５１０を介して原稿読取装置３００に装着されていて、他端５０６側が画像形成装置本体３０に回転することができるように装着されている。また、アーム部材５０２は、第２の位置に配置された原稿読取装置３００を下方から支持している。案内部材５１０は、アーム部材５０２を案内する部材であり、原稿読取装置３００に設けられている。コイルスプリング５６０は、アーム部材５０２を付勢する付勢部材として用いられている。
【００２８】
操作パネル７００は、例えば、ファクシミリの送信先の番号を入力する際に押圧される押圧部や、画像形成を開始する際に押圧される押圧部等を有し、画像形成装置１０の前側に配置されている。また、操作パネル７００は、原稿読取装置３００と一体となっていて、原稿読取装置３００と一体として第１の位置と第２の位置との間で移動する。
【００２９】
図４には、補給用開閉部８０が画像形成装置本体３０に対して閉じられ、給紙用開閉部８４が画像形成装置本体３０に対して開かれた状態にある画像形成装置１０が示されている。この状態で、給紙用開閉部８４の上向きの面に用紙が補給される。
【００３０】
図５には、補給用開閉部８０と給紙用開閉部８４とが、一体として画像形成装置本体３０に対して開かれた状態が示されている。補給用開閉部８０と給紙用開閉部８４とが開かれた際に露出する画像形成装置本体３０の前側の面３６には、現像剤収容容器１４４が着脱される着脱部３２が形成されている。着脱部３２に十分な現像剤が収容された新たな現像剤収容容器１４４を装着することで、画像形成装置１０に現像剤が補給される。現像剤収容容器１４４に収容された例えばトナー等の現像剤は、先述のように現像装置１２８（図２参照）に搬送される。
【００３１】
図６には、画像形成装置本体３０が示されている。図６に示すように、画像形成装置本体３０は、像形成部１２０が装着された装着部として用いられる本体フレーム４０と、本体フレーム４０を覆うように配置された外装部として用いられる外装カバー５０とを有する。
【００３２】
本体フレーム４０は、例えば金属製であって、例えば一対の互いに向かい合った板状の部材を有する。また、本体フレーム４０には、像形成部１２０を構成する部材である感光体ドラム１２２、帯電装置１２４、現像装置１２８、転写装置１３０、転写装置１３２、及び定着装置１４０が装着されている。また、本体フレーム４０には、給紙装置１６０、搬送ロール１８２、レジストロール１８４、及び排出ロール１８６が装着されている。また、本体フレーム４０には、感光体ドラム１２２等を駆動する例えばモータ等の図示を省略する駆動源と、この駆動源から例えば感光体ドラム１２２等に駆動を伝達する例えばギア列等からなる図示を省略する駆動伝達機構が装着されている。
【００３３】
また、本体フレーム４０には支持用突起４２が設けられている。支持用突起４２は、画像形成装置本体３０の底面３８に設けられ、載置面８００と接触して画像形成装置本体３０を支持する支持部として用いられている。支持用突起４２は、例えばゴム等の弾性を有する部材を本体フレーム４０に装着することで構成されている。
【００３４】
外装カバー５０は、例えば樹脂製であって、例えば、ねじ等を用いて本体フレーム４０に固定されている。また、外装カバー５０は、重力方向下側から原稿読取装置３００及び操作パネル７００を支持している。また、外装カバー５０には、第１の凸部５２と、第２の凸部５４とが形成されている。第１の凸部５２は、画像形成装置本体３０の底面３８に形成された凸部として用いられている。
【００３５】
第１の凸部５２及び第２の凸部５４は、外装カバー５０と一体として成形しても良いし、外装カバー５０に他の部材を装着するように構成しても良い。外装カバー５０に他の部材を装着する場合、例えばゴム等の弾性からなる部材を用いることができる。また、第１の凸部５２及び第２の凸部５４は、外装カバー５０に一体として凸部を形成した上で、その凸部に他の部材を装着するように構成しても良い。
【００３６】
第１の凸部５２は、図６に示すように、像形成部１２０よりも操作パネル７００側に位置している。
【００３７】
第２の凸部５４は、図６に示すように、載置面８００に画像形成装置１０が載置され、それぞれの支持用突起４２が載置面８００に接触した状態において載置面８００との間に隙間Ｌを形成している。このため、通常の状態においては、第２の凸部５４は載置面８００から離れている。一方、例えば原稿読取装置３００を第１の位置から第２の位置へ勢い良く移動させた等の理由で画像形成装置本体３０の後側に力が加えられ、画像形成装置本体３０が後ろ向きに傾くと、第２の凸部５４は載置面８００に接触する。そして、第２の凸部５４が載置面８００に接触すると、画像形成装置本体３０は、その状態からさらに後ろ向きに傾きにくくなり、後ろ向きに傾くことによる転倒が生じにくくなる。
【００３８】
図７には、原稿読取装置３００が示されている。原稿読取装置３００は、先述のように原稿読取装置本体３０２を有し、原稿読取装置本体３０２の下向きの面には、先述の右側に位置する緩衝装置５００の案内部材５１０と、左側に位置する緩衝装置５００の案内部材５１０とが装着されている。また、原稿読取装置３００は、光を透過する材料からなるプラテン部材３１２有していて、プラテン部材３１２に原稿Ｄが載置される。また、原稿読取装置本体３０２には、原稿読取装置本体３０２に対して開閉可能なプラテンカバー部３２２が装着されている。
【００３９】
原稿読取装置本体３０２内には、原稿に光を照射し、照射した光の原稿からの反射光に基づいて原稿を読み取る読取部３３０が装着されている。読取部３３０は、光源３４２と、レンズ３４４と、光電変換素子３４６を有し、光源３４２が原稿Ｄに光を照射し、その反射光をレンズ３４４で集光し、集められた光を光電変換素子３４６が受光して信号に変換する
【００４０】
図８には、画像形成装置本体３０の底面３８が示され、図９には、画像形成装置本体３０の第１の凸部５２近傍が拡大して示されている。図８に示すように、先述の支持用突起４２は、４個が本体フレーム４０に設けられている。また、図８に示すように、先述の第１の凸部５２は、２個が外装カバー５０に設けられている。以下、２つ第１の凸部５２を区別する場合に、右側（図８の上側）に位置する第１の凸部５２を第１の凸部５２Ｒとし、左側（図８の下側）に位置する第１の凸部５２を第１の凸部５２Ｌとする。また、図８に示すように、先述の第２の凸部５４は、２個が外装カバー５０に設けられている。以下、２つ第２の凸部５４を区別する場合に、右側に位置する第２の凸部５４を第２の凸部５４Ｒとし、左側に位置する第２の凸部５４を第１の凸部５４Ｌとする。
【００４１】
図８に示すように、第１の凸部５２は、それぞれが４個の支持用突起４２よりも操作パネル７００（図１参照）側であって、前側（図８の左側）に配置されている。また、第１の凸部５２Ｒは、いずれの支持用突起４２よりも右側に位置し、第１の凸部５２Ｌは、いずれの支持用突起４２よりも左側に位置している。このように、第１の凸部５２は、いずれもが、操作パネル７００の長手方向において支持用突起４２よりも外側に位置している。また、第２の凸部５４は、それぞれが４個の支持用突起４２よりもヒンジ３０４（図２参照）側であって、後ろ側（図８の右側）に配置されている。また、第２の凸部５４Ｒは、いずれの支持用突起４２よりも右側に位置し、第２の凸部５４Ｌは、いずれの支持用突起４２よりも左側に位置している。このように、第２の凸部５４は、いずれもが、操作パネル７００の長手方向において支持用突起４２よりも外側に位置している。
【００４２】
このように、第２凸部５４は、いずれもが、操作パネル７００の長手方向において支持用突起４２よりも外側に位置しているため、画像形成装置本体３０が右側に傾くと、第２の凸部５４Ｒが載置面８００に接触する。そして、第２の凸部５４Ｒが載置面８００に接触すると、画像形成装置本体３０は、その状態からさらに右向きに傾きにくくなり、右向きに傾くことによる転倒が生じにくくなる。また、画像形成装置本体３０が左側に傾くと、第２の凸部５４Ｌが載置面８００に接触する。そして、第２の凸部５４Ｌが載置面８００に接触すると、画像形成装置本体３０は、その状態からさらに左向きに傾きにくくなり、左向きに傾くことによる転倒が生じにくくなる。
【００４３】
図９に示すように、載置面８００に画像形成装置１０が載置され、それぞれの支持用突起４２が載置面８００に接触した状態において、第１の凸部５２は載置面８００との間に隙間Ｌを形成している。隙間Ｌは、例えば、０．５ｍｍである。隙間Ｌが形成されているため、通常の状態においては、第１の凸部５２は載置面８００から離れている。一方、例えば操作パネル７００（図１参照）を操作するために、操作パネル７００に下向きの力が加えられる等の理由で図９に矢印で示すように画像形成装置本体３０が前向きに傾くと、第１の凸部５２は載置面８００に接触する。そして、第１の凸部５２が載置面８００に接触すると、画像形成装置本体３０は、その状態からさらに前向きに傾きにくくなり、前向きに傾くことによる転倒が生じにくくなる。
【００４４】
また、先述のように、第１の凸部５２は、いずれもが、操作パネル７００の長手方向において支持用突起４２よりも外側に位置している。このため、操作パネル７００に下向きの力が加えられる等の理由で、画像形成装置本体３０が右側に傾くと、第１の凸部５２Ｒが載置面８００に接触する。そして、第１の凸部５２Ｒが載置面８００に接触すると、画像形成装置本体３０は、その状態からさらに右向きに傾きにくくなり、右向きに傾くことによる転倒が生じにくくなる。また、画像形成装置本体３０が左側に傾くと、第１の凸部５２Ｌが載置面８００に接触する。そして、第１の凸部５２Ｌが載置面８００に接触すると、画像形成装置本体３０は、その状態からさらに左向きに傾きにくくなり、左向きに傾くことによる転倒が生じにくくなる。
【産業上の利用可能性】
【００４５】
以上で説明をしたように、本発明は、複写機、ファクシミリ装置、プリンター等の画像形成装置に適用することができる。
【符号の説明】
【００４６】
１０・・・画像形成装置
３０・・・画像形成装置本体
３８・・・底面
３９・・・縁部
４０・・・本体フレーム
４２・・・支持用突起
５０・・・外装カバー
５２・・・第１の凸部
８０・・・補給用開閉部
８４・・・給紙用開閉部
８８・・・回転中心
１２０・・・像形成部
７００・・・操作パネル
８００・・・載置面
Ｃ１・・・中心
Ｃ２・・・中央
Ｌ・・・隙間
【図１】
0005874806.tif 000002
【図２】
0005874806.tif 000003
【図３】
0005874806.tif 000004
【図４】
0005874806.tif 000005
【図５】
0005874806.tif 000006
【図６】
0005874806.tif 000007
【図７】
0005874806.tif 000008
【図８】
0005874806.tif 000009
【図９】
0005874806.tif 000010